(57)【要約】【課題】リスト表示を共通化し操作性を向上することができるコンテンツリスト表示装置を提供することである。【解決手段】コンテンツリスト表示装置は、送信手段と、受信手段と、表示手段とを備える。送信手段は、ネットワークを介して、コンテンツ情報の返却形式を指定したコンテンツ情報取得リクエストを送信する。受信手段は、ネットワークを介して、前記コンテンツ情報取得リクエストに応じて返信されるコンテンツ情報を受信する。表示手段は、前記コンテンツ情報に基づきコンテンツをリスト表示する。【選択図】図１
2013051611.tif 000002
【特許請求の範囲】
【請求項１】
ネットワークを介して、コンテンツ情報の返却形式を指定したコンテンツ情報取得リクエストを送信する送信手段と、
ネットワークを介して、前記コンテンツ情報取得リクエストに応じて返信されるコンテンツ情報を受信する受信手段と、
前記コンテンツ情報に基づきコンテンツをリスト表示する表示手段と、
を備えたコンテンツリスト表示装置。
【請求項２】
前記送信手段は、ネットワークを介して、コンテンツリストの所定表示形式に対応するための前記コンテンツ情報取得リクエストを送信し、
前記表示手段は、第１のコンテンツ記憶部に記憶されたコンテンツを前記所定表示形式でリスト表示し、また、前記コンテンツ情報に基づき、前記ネットワークを介して接続されたコンテンツ管理装置の第２のコンテンツ記憶部に記憶されたコンテンツを前記所定表示形式でリスト表示する請求項１記載のコンテンツリスト表示装置。
【請求項３】
前記第１のコンテンツ記憶部に記憶されたコンテンツに関する前記所定表示形式のリスト表示から第１のコンテンツを選択し、又は前記第２のコンテンツ記憶部に記憶されたコンテンツに関する前記所定表示形式の第２のリスト表示から第２のコンテンツを選択する選択手段と、
前記第１のコンテンツ又は前記第２のコンテンツを再生する再生手段と、
を備えた請求項２記載のコンテンツリスト表示装置。
【請求項４】
ネットワークを介して、コンテンツ情報の返却形式を指定したコンテンツ情報取得リクエストを受信する受信手段と、
ネットワークを介して、前記コンテンツ情報取得リクエストに対応したコンテンツ情報を送信する送信手段と、
を備えたコンテンツ情報提供装置。
【請求項５】
ネットワークを介して、コンテンツ情報の返却形式を指定したコンテンツ情報取得リクエストを送信し、
ネットワークを介して、前記コンテンツ情報取得リクエストに応じて返信されるコンテンツ情報を受信し、
前記コンテンツ情報に基づきコンテンツをリスト表示するコンテンツリスト表示方法。
【請求項６】
ネットワークを介して、コンテンツ情報の返却形式を指定したコンテンツ情報取得リクエストを受信し、
ネットワークを介して、前記コンテンツ情報取得リクエストに対応したコンテンツ情報を送信するコンテンツ情報提供方法。
【発明の詳細な説明】
【技術分野】
【０００１】
本発明の実施形態は、コンテンツリスト表示装置、コンテンツリスト表示方法、コンテンツ情報提供装置、及びコンテンツ情報提供方法に関する。
【背景技術】
【０００２】
近年、放送番組等のコンテンツを受信し、受信コンテンツを記録することが可能な記録再生装置が多く普及している。例えば、記録再生装置は、記録した多数のコンテンツをリスト表示することができる。
【０００３】
ユーザーは、記録再生装置に表示された記録コンテンツのリストの中から、所望コンテンツを選択し、選択した所望コンテンツの再生を指定すると、記録再生装置は、選択された所望コンテンツを再生する。
【０００４】
また、近年では、一方の記録再生装置が、ネットワークを介して、他方の記録再生装置により管理されたコンテンツ（他方の記録再生装置により記録されたコンテンツ）を再生する技術も提案されている。これにより、ユーザーは、一方の記録再生装置を使用して、他方の記録再生装置により管理されたコンテンツを視聴することができ、便利である。
【先行技術文献】
【特許文献】
【０００５】
【特許文献１】特開２００８−１６８８１号公報
【特許文献２】特開２００４−３２０７５２号公報
【発明の概要】
【発明が解決しようとする課題】
【０００６】
一方の記録再生装置が、ネットワークを介して、他方の記録再生装置により管理されたコンテンツを再生するにあたり、例えば、一方の記録再生装置が、他方の記録再生装置により管理されているコンテンツをリスト表示する。
【０００７】
このとき、一方の記録再生装置によるリスト表示の形式と、他方の記録再生装置によるリスト表示の形式とが大きく異なると、直感的にリストの構成や内容を理解し難いため、この点についての改善が要望されている。
【０００８】
本発明が解決しようとする課題は、機器毎に異なるコンテンツリスト表示を改善することができるコンテンツリスト表示装置、コンテンツリスト表示方法、コンテンツ情報提供装置、及びコンテンツ情報提供方法を提供することである。
【課題を解決するための手段】
【０００９】
実施形態によれば、コンテンツリスト表示装置は、送信手段と、受信手段と、表示手段とを備える。送信手段は、ネットワークを介して、コンテンツ情報の返却形式を指定したコンテンツ情報取得リクエストを送信する。受信手段は、ネットワークを介して、前記コンテンツ情報取得リクエストに応じて返信されるコンテンツ情報を受信する。表示手段は、前記コンテンツ情報に基づきコンテンツをリスト表示する。
【図面の簡単な説明】
【００１０】
【図１】実施形態に係るコンテンツ処理システム（ネットワークコンテンツ分類表示システム）の一例を示す図である。
【図２】実施形態に係るコンテンツの分類表示の一例を示すフローチャートである。
【図３】実施形態に係るコンテンツ保存フォルダ構造の一例を示す図である。
【図４】実施形態に係る分類表示画面の一例を示す図である。
【図５】実施形態に係るベンダー独自UPnPアクションリクエストの一例を示す図である。
【図６】実施形態に係るコンテンツ保存フォルダ構造の変更の一例を示す図である。
【発明を実施するための形態】
【００１１】
図１は、コンテンツ処理システム（ネットワークコンテンツ分類表示システム）の一例を示す図である。図１に示すように、コンテンツ処理システムは、例えば、記録装置１（コンテンツリスト再生装置）及び記録装置２を備え、記録装置１と記録装置２とは、ネットワーク（ホームネットワーク）３等で接続されている。なお、記録装置２は、記録装置１側からネットワークに接続された外部装置として認識され、記録装置１は、記録装置２側からネットワークに接続された外部装置として認識される。
【００１２】
なお、記録装置１は、少なくとも、ネットワークを介した通信機能、外部装置により管理（記録）された放送番組等のコンテンツのリストを再生するコンテンツリスト再生機能、外部装置により管理（記録）されたコンテンツを再生するコンテンツ再生機能を備え、さらに、アンテナを介してコンテンツを受信したり、ネットワークを介してコンテンツを受信したり、受信したコンテンツを記録する各種の機能を備えていてもよい。
【００１３】
また、記録装置２は、放送番組等のコンテンツを記録する記録機能を必須構成として備えている必要はなく、少なくとも、ネットワークを介した通信機能、及び外部記憶装置等に記憶されたコンテンツを管理する機能を備え、記録装置２は、外部記憶装置等に記憶されたコンテンツを読み出し、ネットワーク経由で外部機器（例えば上記記録装置１）へ読み出したコンテンツのデータを送信することができるものとする。勿論、記録装置２が、アンテナを介してコンテンツを受信したり、ネットワークを介してコンテンツを受信したり、受信したコンテンツを記録したり、受信したコンテンツを編集したりする各種の機能を備えていてもよい。
【００１４】
上記記録装置１は、例えばＴＶ等の視聴機器であり、また、上記記録装置２は、ハードディスクレコーダ等の録画機器である。或いは、上記記録装置１と上記記録装置２は、同じ構成であってもよい。
【００１５】
図１に示すように、記録装置１は、チューナー部１１、信号処理部１２、映像・音声出力部１３、ネットワークＩ／Ｆ部１４、制御部１５、ストレージ部１６、入力部１７を備え、各部はバスで接続されている。制御部１５は、共通表示情報取得部１５１、コンテンツ情報取得部１５２、記録番組情報管理部１５３を備える。
【００１６】
例えば、ユーザーの操作に基づき、制御部１５は、アンテナなどから受信したデジタル放送番組をチューナー部１１で選局し、信号処理部１２、映像・音声出力部１３で適切に処理した後、スピーカー、表示装置で放送番組を再生する。
【００１７】
また、図１に示すように、記録装置２は、チューナー部２１、信号処理部２２、映像・音声出力部２３、ネットワークＩ／Ｆ部２４、制御部２５、ストレージ部２６、入力部２７を備え、各部はバスで接続されている。制御部２５は、共通表示情報提供部２５１、コンテンツ情報提供部２５２、記録番組情報管理部２５３を備える。
【００１８】
例えば、ユーザーの操作に基づき、制御部２５は、アンテナなどから受信したデジタル放送番組をチューナー部２１で選局し、信号処理部２２で処理した後、ストレージ部２６に記録する。
【００１９】
次に、再生装置１の機能的構成について説明する。再生装置１の制御部１５は、ＣＰＵ、ＲＯＭ、ＲＡＭ等により構成され、ＣＰＵがＲＯＭに記録されたプログラムをＲＡＭに展開して実行することにより、図１に示すように、共通表示情報取得部１５１、コンテンツ情報取得部１５２、記録番組情報管理部１５３として機能する。
【００２０】
また、同様に、記録装置２の制御部２５も、ＣＰＵ、ＲＯＭ、ＲＡＭ等により構成され、ＣＰＵがＲＯＭに記録されたプログラムをＲＡＭに展開して実行することにより、図１に示すように、共通表示情報提供部２５１、コンテンツ情報提供部２５２、記録番組情報管理部２５３として機能する。
【００２１】
例えば、記録装置１は、複数のコンテンツを記録することができ、記録された複数のコンテンツを図３に示すようなコンテンツ保存フォルダ構造にて管理することができる。例えば、ストレージ部１６が複数のUSB HDDを含む場合、図３に示すように、記録装置１は、rootフォルダの直下に、複数のUSB HDDに対応した複数のフォルダを配置して管理する。また、記録装置１は、各USB HDDに記録された各記録コンテンツを、各USB HDDに対応した各フォルダで管理する。なお、フォルダ構造についてはこれに限定されるものではない。また、図３に示す各USB HDDに対応する各フォルダのうちの１フォルダをユーザーが選択した際には、記録装置１は、図４に示すような分類形式でコンテンツリストを表示する。記録装置１は、録画予約設定時又は記録時に適切にメタデータを取得し設定することで、大分類については、未視聴、曜日別、ジャンル別、連ドラ別、毎カテゴリ別に分類してコンテンツリストを表示することができ、さらにジャンルの小分類については、スポーツ、ワイドショー、ドラマなどに分類して表示することができる。なお、分類の方法についてはこれだけに限定されるものではない。また、本実施形態では、記録装置１が、複数のUSB HDDを内蔵するケースについて記述したが、記録装置１が、１以上の記録機器（例えばUSB HDD）と外部接続し、この外部接続された記録機器にコンテンツを記録することもできる。この場合も記録装置１は、外部接続された記録機器に記録されたコンテンツを図４に示すように分類表示することができる。
【００２２】
記録装置２により記録されたコンテンツのリストを、記録装置１が出力する処理について説明する。記録装置１は、ネットワーク経由で、記録装置２を発見する。この発見処理については、例えば記録装置１と記録装置２のそれぞれにUPnP（Universal  Plug  and  Play）コントロールポイント、UPnPデバイスの機能を組み込むことで、UPnPのDiscoveryのフェーズで発見する。
【００２３】
このフェーズにおいて、記録装置１は、記録装置２から、記録装置２の機器情報を取得する。例えば先のUPnPを実装した場合には、記録装置１（ネットワークＩ／Ｆ部１４、通表示情報提供部１５１等）は、機器情報や提供するサービス情報を列挙したDevice  Descriptionをダウンロードすることで、機器情報等を取得する。記録装置２の共通表示情報提供部２５１は、例えば図４に示すように、前記機器情報に共通表示に関する情報を記載する。つまり、前記機器情報に、共通表示のバージョンに関する情報、共通表示情報提供可否情報などを記載する。なお、共通表示に関する情報の記載は、これに限定されるものではない。記録装置１の制御部１５は、前記機器情報に記載された共通表示の可否を記録装置２の機器情報と結び付けて管理する。
【００２４】
例えば、ユーザーが、リモートコントローラ等を介して、記録装置２により管理されているコンテンツのリスト表示を要求すると、記録装置１の入力部１７は、この要求を制御部１５に対して入力する。これに対応して、制御部１５は、記録装置２により管理されているコンテンツのリスト表示を実行する。例えば、記録装置１（ネットワークＩ／Ｆ部１４、制御部１５、コンテンツ情報取得部１５２）は、記録装置２が共通表示をサポートしている場合には、ネットワーク３経由で、記録装置２に対して、コンテンツ情報の返却形式を指定したコンテンツ情報取得リクエストを送信する。
【００２５】
コンテンツ情報の返却形式を指定したコンテンツ情報取得リクエストは、例えば返却形式指定用の引数を設定可能なUPnPで定義されているベンダー独自のUPnPアクションや、ベンダー独自のUPnPアクション名が返却形式指定の情報を含むケースなどが考えられるが、これに限定されるものではない。図５は、ベンダー独自UPnPアクションリクエストの一例を示す図である。ここでリクエストについては、返却形式指定用の引数としてFormatエレメントを用い、その値として1.00を設定している。また、コンテンツリスト取得対象のフォルダの指定にObjectIDを設定している。
【００２６】
記録装置２（ネットワークＩ／Ｆ部２４）は、ネットワーク３経由で、記録装置１からのコンテンツ情報取得リクエストを受信する。さらに、記録装置２（ネットワークＩ／Ｆ部２４、制御部２５、コンテンツ情報提供部２５２）は、ネットワーク３経由で、コンテンツ情報取得リクエスト（つまり記録装置１からの返却形式指定用引数）に応じたコンテンツリスト情報を返信する。
【００２７】
返却形式指定用引数に応じたコンテンツリスト情報とは、返却するメタデータの種類、値に関する記録装置１の指定形式への変換だけではなく、例えば図６に示すような記録装置２における仮想的なコンテンツ保存フォルダ構造の変更にも及ぶ。図６の例では、動画、静止画、音楽別に分類された形で各フォルダに格納されていたのをrootフォルダ直下に全てのコンテンツが保存されているような構造に変換している。記録装置２は、このような変換処理を実施した上で応答を返却する。このため、記録装置２における通常のコンテンツ情報リクエスト、例えばUPnPのBrowseアクションに比べ、より少ないステップ数でのコンテンツ提示、またコンテンツ分類表示が可能となる。また、それ以外にも例えばrootフォルダ直下に記録装置２の各ユーザーに対応したフォルダがあり、各フォルダに各ユーザーが記録したコンテンツが格納されている構造に変換されるようにすることで、ユーザー別のコンテンツにアクセスすることを容易にするような例も考えられる。
【００２８】
次に、図２を参照して、記録装置１によるコンテンツの分類表示の手順の一例について説明する。つまり、記録装置１が、記録装置２により管理されたコンテンツを分類表示する手順の一例について説明する。図２は、記録装置１によるコンテンツの分類表示の手順の一例を示すフローチャートである。
【００２９】
例えば、ユーザーは、リモートコントローラ等を介して、ネットワーク接続された機器のリスト表示を要求すると、記録装置１の入力部１７は、この要求を制御部１５に対して入力する。これに対応して、記録装置１（映像・音声出力部１３、ネットワークＩ／Ｆ部１４、制御部１５等）は、ネットワーク３経由で、ネットワーク接続された機器（例えば記録装置２）を検出し、は、検出された機器をリスト表示する。
【００３０】
さらに、ユーザーが、リモートコントローラ等を介して、検出された機器のリスト表示の中から、例えば記録装置２を選択すると(ＳＴ１)、記録装置１の入力部１７は、記録装置２の選択を制御部１５に対して入力する。これに対応して、記録装置１（映像・音声出力部１３、ネットワークＩ／Ｆ部１４、制御部１５等）は、記録装置２により管理されているコンテンツのリスト表示を実行する。例えば、記録装置１（ネットワークＩ／Ｆ部１４、制御部１５、共通表示情報取得部１５１等）が、ネットワーク３経由で、記録装置２から共通表示情報を取得している場合には、記録装置２が共通表示をサポートしていると判定し(ＳＴ２、ＹＥＳ)、ネットワーク３経由で、記録装置２に対して、コンテンツ情報の返却形式を指定したコンテンツ情報取得リクエストを送信する(ＳＴ３)。言い換えれば、記録装置１は、ネットワーク３経由で、記録装置２に対して、コンテンツリストの所定表示形式に対応するためのコンテンツ情報取得リクエストを送信する。
【００３１】
記録装置２（ネットワークＩ／Ｆ部２４）は、ネットワーク３経由で、記録装置１からのコンテンツ情報取得リクエストを受信する。さらに、記録装置２（ネットワークＩ／Ｆ部２４、制御部２５、コンテンツ情報提供部２５２）は、ネットワーク３経由で、コンテンツ情報取得リクエスト（つまり記録装置１からの返却形式指定用引数）に応じたコンテンツリスト情報を返信する。
【００３２】
記録装置１（ネットワークＩ／Ｆ部１４、制御部１５、コンテンツ情報取得部１５２等）は、ネットワーク３経由で、記録装置２からの、コンテンツ情報取得リクエスト（つまり記録装置１からの返却形式指定用引数）に応じたコンテンツリスト情報を受信する(ＳＴ４)。記録装置１（映像・音声出力部１３、制御部１５、記録番組情報管理部１５３等）は、コンテンツリスト情報に基づき、記録装置２により管理されているコンテンツをリスト表示（分類表示）する(ＳＴ５)。
【００３３】
つまり、記録装置１は、ストレージ部１６に記憶されたコンテンツを所定表示形式でリスト表示することもできるし、同様に、コンテンツリスト情報に基づき、記録装置２のストレージ部２６に記憶されたコンテンツを所定表示形式でリスト表示することもできる。即ち、記録装置１は、自機で管理（記録）されたコンテンツと、他機で管理（記録）されたコンテンツとを同一の表示形式でリスト表示することができる。
【００３４】
これにより、ユーザーは、リモートコントローラ等を介して、ストレージ部１６に記憶されたコンテンツに関する所定表示形式のリスト表示から第１のコンテンツを選択すると、入力部１７は、この第１のコンテンツの選択を制御部１５に通知し、記録番組情報管理部１５３が、ストレージ部１６に記憶された第１のコンテンツの再生を指示し、これに対応して、映像・音声出力部１３が、ストレージ部１６に記憶された第１のコンテンツを再生する。
【００３５】
また、ユーザーは、リモートコントローラ等を介して、記録装置２のストレージ部２６に記憶されたコンテンツに関する所定表示形式のリスト表示から第２のコンテンツを選択すると、入力部１７は、この第２のコンテンツの選択を制御部１５に通知し、ネットワークＩ／Ｆ部１４が、ネットワーク３経由で、記録装置２のストレージ部２６に記憶された第２のコンテンツを取得し、映像・音声出力部１３が、取得した第２のコンテンツを再生する。
【００３６】
以上により、ユーザーは、ストレージ部１６に記憶されたコンテンツ、及び記録装置２のストレージ部２６に記憶されたコンテンツを同様のリスト上で確認することができるので、コンテンツを選択し易い。
【００３７】
また、記録装置１（ネットワークＩ／Ｆ部１４、制御部１５、共通表示情報取得部１５１等）が、ネットワーク３経由で、記録装置２から共通表示情報を取得していない場合（共通表示情報を取得できなかった場合）には、記録装置２が共通表示をサポートしていない判定し(ＳＴ２、ＮＯ)、ネットワーク３経由で、記録装置２に対して、通常のコンテンツ情報取得リクエスト（コンテンツ情報の返却形式を指定しないコンテンツ情報取得リクエスト）を送信する(ＳＴ６)。
【００３８】
記録装置２（ネットワークＩ／Ｆ部２４）は、ネットワーク３経由で、記録装置１からの通常のコンテンツ情報取得リクエストを受信する。さらに、記録装置２（ネットワークＩ／Ｆ部２４、制御部２５、コンテンツ情報提供部２５２）は、ネットワーク３経由で、通常のコンテンツ情報取得リクエスト（コンテンツ情報の返却形式を指定しないコンテンツ情報取得リクエスト）に基づき、通常のコンテンツリスト情報を返信する。
【００３９】
記録装置１（ネットワークＩ／Ｆ部１４、制御部１５、コンテンツ情報取得部１５２等）は、ネットワーク３経由で、記録装置２からの、通常のコンテンツ情報取得リクエストに応じた通常のコンテンツリスト情報（上記したような記録装置１からの返却形式指定用引数に対応しないコンテンツリスト情報）を受信する(ＳＴ７)。記録装置１（映像・音声出力部１３、制御部１５、記録番組情報管理部１５３等）は、通常のコンテンツリスト情報に基づき、記録装置２により管理されているコンテンツをリスト表示する(ＳＴ８)。
【００４０】
以上により、本実施形態によれば、記録装置１は、記録装置１で管理（記録）したコンテンツのリスト表示と同様に、ネットワーク経由でアクセスした記録装置２により管理（記録）されたコンテンツをリスト表示することができる。つまり、記録装置１は、記録装置１で管理（記録）したコンテンツの分類表示と同様に、ネットワーク経由でアクセスした記録装置２により管理（記録）されたコンテンツを分類表示することができる。これにより、操作性が向上する。
【００４１】
以下、本実施形態についてまとめる。ホームネットワーク技術の進展に伴い、記録装置１は、ネットワーク経由で、記録装置２で記録した放送番組等のコンテンツを再生することができる。さらに、記録装置１は、ネットワーク経由で、記録装置２で記録されたコンテンツのリスト表示画面と、記録装置１で記録されたコンテンツのリスト表示画面を共通化することができる。共通化のために、記録装置２は、共通表示のバージョンに関する情報、共通表示情報提供可否情報などを公開する。記録装置１は、記録装置２により公開された情報を取得し、共通表示の可否を判定する。記録装置１が、記録装置２から、共通表示のための情報を取得することができる場合には、共通表示に対応するためのコンテンツ情報を取得することにより、記録装置２で記録されたコンテンツのリスト表示画面と、記録装置１で記録されたコンテンツのリスト表示画面を共通化することができる。これにより、ユーザーは、共通化されたコンテンツのリスト表示画面を介して、違和感なくコンテンツを確認したり選択したりことができる。
【００４２】
なお、本実施形態では、記録装置１が、ネットワーク経由で、記録装置２で記録されたコンテンツをリスト表示するケースについて説明したが、記録装置１が、ディスプレイを備えず、記録装置１に接続された外部ディスプレイが、記録装置２で記録されたコンテンツをリスト表示するケースも含む。この場合、記録装置１は、外部ディスプレイに対して、記録装置２で記録されたコンテンツをリスト表示するための表示データを出力することとなる。このようなケースに該当する記録装置１として、例えば、レコーダが挙げられる。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１…再生装置、１１…チューナー部、１２…信号処理部、１３…映像・音声出力部、１４…ネットワークＩ／Ｆ部、１５…制御部、１７…入力部、１５１…共通表示情報取得部、１５２…コンテンツ情報取得部、１５３…記録番組情報管理部、２…記録装置、２１…チューナー部、２２…信号処理部、２３…映像・音声出力部、２４…ネットワークＩ／Ｆ部、２５…制御部、２６…ストレージ部、２７…入力部、２５１…共通表示情報提供部、２５２…コンテンツ情報提供部、２５３…記録番組情報管理部
【図１】
2013051611.tif 000003
【図２】
2013051611.tif 000004
【図３】
2013051611.tif 000005
【図４】
2013051611.tif 000006
【図５】
2013051611.tif 000007
【図６】
2013051611.tif 000008